(57)【要約】【課題】インターバル動画を撮影時のフレームレートで再生する際の操作性を向上させる。【解決手段】ステップＳ２００では、再生する動画データがインターバル動画であるか否かを判定する。ステップＳ２０１では、動画データを撮影時のフレームレートで再生するように選択されているか否かを判定する。ステップＳ２０２では、動画データを撮影時のフレームレートで再生する。【選択図】  図７
2008252373.tif 000002
【特許請求の範囲】
【請求項１】
動画データを再生する画像処理装置であって、
前記動画データに定められた所定のフレームレートと前記動画データの撮影時のフレームレートとが異なる場合に、前記動画データを、前記所定のフレームレートで再生するか又は前記撮影時のフレームレートで再生するかを選択可能とする選択手段を備えたことを特徴とする画像処理装置。
【請求項２】
前記所定のフレームレートで再生する場合には、前記動画データに含まれる音声データの再生を行なわないことを特徴とする請求項１に記載の画像処理装置。
【請求項３】
前記撮影時のフレームレートで再生する場合には、前記動画データに含まれる音声データの再生を行なうことを特徴とする請求項１又は２に記載の画像処理装置。
【請求項４】
動画データをスロー再生する際のフレームレートを変更可能な変更手段を備え、
前記動画データに定められた所定のフレームレートと前記動画データの撮影時のフレームレートとが異なる場合には、前記変更手段で変更可能な前記スロー再生時のフレームレートの下限値を前記撮影時のフレームレートとすることを特徴とする請求項１〜３のいずれか１項に記載の画像処理装置。
【請求項５】
前記撮影時のフレームレートに関する情報は、前記動画データとは別に記録されることを特徴とする請求項１〜４のいずれか１項に記載の画像処理装置。
【請求項６】
前記選択手段による選択結果を表示する表示手段を備えたことを特徴とする請求項１〜５のいずれか１項に記載の画像処理装置。
【請求項７】
動画データに定められた所定のフレームレートと前記動画データの撮影時のフレームレートとが異なる場合に、前記動画データを、前記所定のフレームレートで再生するか又は前記撮影時のフレームレートで再生するかを選択する選択ステップと、
前記選択ステップによる選択に応じて前記動画データを再生する再生ステップとを有することを特徴とする画像処理方法。
【請求項８】
動画データに定められた所定のフレームレートと前記動画データの撮影時のフレームレートとが異なる場合に、前記動画データを、前記所定のフレームレートで再生するか又は前記撮影時のフレームレートで再生するかを選択する選択ステップと、
前記選択ステップによる選択に応じて前記動画データを再生する再生ステップとをコンピュータに実行させることを特徴とするコンピュータプログラム。
【発明の詳細な説明】
【技術分野】
【０００１】
本発明は、撮影フレームレートと再生フレームレートとが異なる動画データを再生する画像処理装置等に関する。
【背景技術】
【０００２】
従来のデジタルカメラ等の画像処理装置の中には、インターバル動画を撮影及び再生する機能を備えたものがある。
【０００３】
インターバル動画とは、いわゆる低速度撮影やタイムラプス撮影と呼ばれる手法で撮影された動画と同様のもので、撮影フレームレートを極端に遅くして撮影した動画に、通常の再生フレームレートを設定して動画データとして記録したものである。例えば毎秒１フレームの撮影フレームレートで撮影した動画の再生フレームレートを毎秒３０フレームに設定して動画データとして記録したもので、この動画データを再生すると撮影時の３０倍の速度で動画再生が行われるというものである。
【０００４】
このように撮影されたインターバル動画を再生すると、太陽や星が天周を動く様子や、草花の開花の様子等、動きの遅い撮影対象の変化を時間を短縮して観察することが可能となる。
【０００５】
ここで、インターバル動画のような撮影フレームレートと再生フレームレートとが異なる動画データの再生に係る技術が特許文献１に開示されている。
【０００６】
【特許文献１】特開２００２−３２０２０３号公報
【発明の開示】
【発明が解決しようとする課題】
【０００７】
しかしながら、特許文献１の技術は、動画データの再生時に適切な再生フレームレートを設定するための技術であり、インターバル動画を撮影時のフレームレートで再生する場合には、例えばスロー再生機能を使って、ユーザが設定を調整する必用があった。この場合、スロー再生のフレームレートが撮影時のフレームレートと同一となるように調整する等を行なわなければならないため、ユーザにとって煩わしい作業となっていた。
【０００８】
本発明は係る実情に鑑みて、インターバル動画を撮影時のフレームレートで再生する際の操作性を向上させる画像処理装置を提供することを目的とする。
【課題を解決するための手段】
【０００９】
本発明の画像処理装置は、動画データを再生する画像処理装置であって、前記動画データに定められた所定のフレームレートと前記動画データの撮影時のフレームレートとが異なる場合に、前記動画データを、前記所定のフレームレートで再生するか又は前記撮影時のフレームレートで再生するかを選択可能とする選択手段を備えたことを特徴とする。
また、本発明の画像処理方法は、動画データに定められた所定のフレームレートと前記動画データの撮影時のフレームレートとが異なる場合に、前記動画データを、前記所定のフレームレートで再生するか又は前記撮影時のフレームレートで再生するかを選択する選択ステップと、前記選択ステップによる選択に応じて前記動画データを再生する再生ステップとを有することを特徴とする。
また、本発明のコンピュータプログラムは、動画データに定められた所定のフレームレートと前記動画データの撮影時のフレームレートとが異なる場合に、前記動画データを、前記所定のフレームレートで再生するか又は前記撮影時のフレームレートで再生するかを選択する選択ステップと、前記選択ステップによる選択に応じて前記動画データを再生する再生ステップとをコンピュータに実行させることを特徴とする。
【発明の効果】
【００１０】
本発明では、画像データに定められた所定のフレームレートと撮影時のフレームレートとが異なる動画データを再生する場合に、所定のフレームレート又は撮影時のフレームレートのいずれかで再生するかを選択可能とした。これにより、インターバル動画を撮影時のフレームレートで再生する際の操作性を向上させることができる。
【発明を実施するための最良の形態】
【００１１】
以下、本発明を実施するための最良の形態を添付図面を用いて詳細に説明する。尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１２】
（第１の実施の形態）
＜装置の説明＞
図１は、本発明を適用できる画像処理装置の構成を示すブロック図である。図１において、１００はデジタルカメラ等に代表される画像処理装置である。
【００１３】
画像処理装置１００において、１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換部である。
【００１４】
１８はタイミング発生部であり、撮像素子１４、Ａ／Ｄ変換部１６、及びＤ／Ａ変換部２６にクロック信号や制御信号を供給する。タイミング発生部１８は、メモリ制御部２２及びシステム制御部５０により制御される。
【００１５】
２０は画像処理部であり、Ａ／Ｄ変換部１６から提供される画像データ又はメモリ制御部２２から提供される画像データに対して所定の画素補間処理や色変換処理を行う。また、画像処理部２０は、撮像素子１４で撮像された画像データに基づいて、ＴＴＬ（スルー・ザ・レンズ）方式のＡＦ（オートフォーカス）処理、ＡＥ（自動露出）処理、ＥＦ（ストロボプリ発光）処理のためのデータを演算する。画像処理部２０は、演算により得られたデータをシステム制御部５０に提供する。
【００１６】
５０はシステム制御部であり、画像処理部２０から提供されたデータに基づいて、露光制御部４０、測距制御部４２、ストロボ４８を制御し、ＴＴＬ方式のＡＦ処理、ＡＥ処理、ＥＦ処理を実現する。なお、画像処理部２０は、撮像素子１４で撮像された画像データを用いて所定の演算処理を行い、得られた演算結果に基づいてＴＴＬ方式のＡＷＢ（オートホワイトバランス）処理も行っている。
【００１７】
２２はメモリ制御部であり、Ａ／Ｄ変換部１６、タイミング発生部１８、画像処理部２０、画像表示メモリ２４、Ｄ／Ａ変換部２６、メモリ３０、及び圧縮・伸長部３２を制御する。
【００１８】
Ａ／Ｄ変換部１６から出力されるデータは、画像処理部２０及びメモリ制御部２２を介して、又は、画像処理部２０を介することなく直接メモリ制御部２２を介して、画像表示メモリ２４又はメモリ３０に書き込まれる。
【００１９】
２４は画像表示メモリ、２６はＤ／Ａ変換部、２８はＴＦＴ・ＬＣＤ等から成る画像表示部であり、画像表示メモリ２４に書き込まれた表示用の画像データは、Ｄ／Ａ変換部２６を介して画像表示部２８により表示される。画像表示部２８を用いて撮像素子１４で撮像した画像データを逐次表示すれば、電子ビューファインダー（ＥＶＦ）機能を実現することが可能である。また、画像表示部２８は、システム制御部５０の指示により任意に表示をＯＮ／ＯＦＦすることが可能であり、表示をＯＦＦにした場合には画像処理装置１００の電力消費を大幅に低減することができる。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合、また、動画像撮影の場合にも、高速かつ大量の画像書き込みをメモリ３０に対して行うことが可能となる。また、メモリ３０はシステム制御部５０の作業領域としても使用することが可能である。
【００２１】
３２は圧縮・伸長部であり、例えば適応離散コサイン変換（ＡＤＣＴ）により画像データを圧縮伸長する。圧縮・伸長部３２は、メモリ３０に格納された画像を読み込んで、例えばＪＰＥＧ又はＭＰＥＧ形式で圧縮処理或いは伸長処理を行い、処理を終えたデータをメモリ３０に書き込む。
【００２２】
４０は露光制御部であり、絞り機能を備えるシャッター１２を制御し、また、ストロボ４８と連携することによりストロボ調光機能も有するものである。４２は撮影レンズ１０のフォーカシングを制御する測距制御部、４４は撮影レンズ１０のズーミングを制御するズーム制御部、４６はバリアである保護部１０２の動作を制御するバリア制御部である。４８はストロボであり、ＡＦ補助光の投光機能、ストロボ調光機能も有している。
【００２３】
露光制御部４０及び測距制御部４２は、ＴＴＬ方式を用いてシステム制御部５０に制御されている。システム制御部５０は、画像処理部２０が撮像素子１４で撮像された画像データに基づき演算した演算結果を用いて、露光制御部４０及び測距制御部４２に対して制御を行う。
【００２４】
システム制御部５０は、画像処理装置１００全体を制御する。５２はシステム制御部５０の動作用の定数、変数、プログラム等を記憶するメモリである。
【００２５】
５４は表示部であり、システム制御部５０が行なうプログラムの実行に応じて、文字、画像、音声等を用いて動作状態やメッセージ等を出力する。表示部５４は、例えばＬＣＤやＬＥＤ等の液晶表示装置と発音素子等のスピーカー等の組み合わせにより構成されており、画像処理装置１００の操作部近辺の視認し易い位置に単数或いは複数個所設置されている。
【００２６】
表示部５４の表示内容のうち、ＬＣＤ等に表示するものとしては、例えば、動作モード表示、シングルショット／連写撮影表示、セルフタイマー表示、圧縮率表示、記録画素数表示、記録枚数表示、残撮影可能枚数表示、シャッタースピード表示等がある。この他にも、絞り値表示、露出補正表示、ストロボ表示、赤目緩和表示、マクロ撮影表示、ブザー設定表示、電池残量表示、エラー表示、複数桁の数字による情報表示、記録媒体２００及び２１０の着脱状態表示、通信Ｉ／Ｆ動作表示、日付・時刻表示等がある。
【００２７】
また、表示部５４の表示内容のうち、光学ファインダ１０４内に表示するものとしては、合焦表示、手振れ警告表示、ストロボ充電表示等がある。
【００２８】
５６は電気的に消去・記録可能な不揮発性メモリであり、例えばＥＥＰＲＯＭ等が用いられる。
【００２９】
６０、６２、６４、６６及び７０は、システム制御部５０の各種の動作指示を入力するための操作部であり、スイッチやダイアル、タッチパネル、視線検知によるポインティング、音声認識装置等の単数或いは複数の組み合わせで構成される。以下、操作部の具体的な説明を行う。
【００３０】
６０はモードダイアルスイッチであり、電源オフ、自動撮影モード、撮影モード、パノラマ撮影モード、再生モード、マルチ画面再生・消去モード、ＰＣ接続モード等の各機能モードを切り替え設定することができる。
【００３１】
６２はレリーズスイッチＳＷ１であり、後述のレリーズボタン３０１の操作途中（半押し）でＯＮとなり、ＡＦ処理、ＡＥ処理、ＡＷＢ処理、ＥＦ処理等の動作開始をシステム制御部５０に指示する。
【００３２】
６４はレリーズスイッチＳＷ２であり、後述のレリーズボタン３０１の操作完了でＯＮとなり、撮影に関する一連の動作開始をシステム制御部５０に指示する。具体的には、まず撮像素子１４から読み出した信号をＡ／Ｄ変換部１６及びメモリ制御部２２を介してメモリ３０に画像データを書き込む露光処理を指示する。次に、画像処理部２０やメモリ制御部２２での演算を用いた現像処理を指示する。そして、メモリ３０から画像データを読み出し、圧縮・伸長部３２で圧縮を行い、記録媒体２００或いは２１０に画像データを書き込む記録処理を指示する。
【００３３】
６６は傾斜センサからなる姿勢検知部であり、画像処理装置１００が構えられているのが横位置であるか、縦位置であるか等の装置の姿勢を検出する。６８は音声取り込み部であり、不図示のマイク等により外部から音声データを取り込む。
【００３４】
７０は各種ボタンやタッチパネル等からなる操作部であり、メニューボタン、セットボタン、マクロボタン、マルチ画面再生改ページボタン、ストロボ設定ボタン、単写／連写／セルフタイマー切り替えボタン等を含む。操作部７０はまた、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付／時間設定ボタン等も含む。
【００３５】
８０は電源制御部であり、不図示の電源検出回路、ＤＣ−ＤＣコンバータ、通電するブロックを切り替えるスイッチ回路等により構成されている。電源制御部８０は、外部電源の接続の有無、電池の装着の有無、電池の種類、電池残量の検出を行ない、検出結果及びシステム制御部５０の指示に基づいてＤＣ−ＤＣコンバータを制御し、必要な電圧を必要な期間、記録媒体を含む各部へ供給する。
【００３６】
８２及び８４はコネクタであり、それぞれ画像処理装置１００及び電源部８６に設置される。８６は電源部であり、アルカリ電池やリチウム電池等の一次電池やＮｉＣｄ電池やＮｉＭＨ電池、Ｌｉ電池等の二次電池、ＡＣアダプター、又は外部バッテリー等からなる。
【００３７】
９０及び９４はメモリカードやハードディスク等の記録媒体とのインターフェースであり、９２及び９６はメモリカードやハードディスク等の記録媒体と接続を行うコネクタである。９８はコネクタ９２又は９６に記録媒体２００又は２１０が装着されているか否かを検知する記録媒体着脱検知部である。
【００３８】
なお、本実施形態では記録媒体を取り付けるインターフェース及びコネクタを２系統持つものとして説明しているが、記録媒体を取り付けるインターフェース及びコネクタは、単数又は３系統以上を備える構成としても構わない。また、異なる規格のインターフェース及びコネクタを組み合わせて備える構成としても構わない。例えば、インターフェース及びコネクタとして、ＰＣＭＣＩＡカードやＣＦ（コンパクトフラッシュ（登録商標））カード等の規格に準拠したものを用いてもよい。インターフェース９０及び９４、コネクタ９２及び９６をＰＣＭＣＩＡカードやＣＦカード等の規格に準拠したものを用いて構成した場合、例えばＬＡＮカードやモデムカードを接続することができる。またこれらの他に、ＰＣＭＣＩＡカードやＣＦカード等の他に、ＵＳＢカード、ＩＥＥＥ１３９４カード、Ｐ１２８４カード、ＳＣＳＩカード、ＰＨＳ等の通信カードも接続することができる。このような拡張カードを接続すれば、他のコンピュータやプリンタ等の周辺機器との間で画像データや音声データ、これらデータに付属した管理情報を転送し合うことができる。
【００３９】
１０２は保護部であり、画像処理装置１００の撮影レンズ１０を含む撮像部を覆うことにより、撮像部の汚れや破損を防止する。
【００４０】
１０４は光学ファインダであり、画像表示部２８によるＥＶＦ機能を使用すること無しに、撮影を行うことを可能とする。また、光学ファインダ１０４内には、表示部５４の一部が設置されており、例えば、合焦表示、手振れ警告表示、フラッシュ充電表示、シャッタースピード表示、絞り値表示、露出補正表示等が光学ファインダ１０４内で行なわれる。
【００４１】
１１０は通信部であり、ＲＳ２３２Ｃ、ＵＳＢ、ＩＥＥＥ１３９４、Ｐ１２８４、ＳＣＳＩ、モデム、ＬＡＮ、無線通信等の各種通信機能を提供する。１１２はコネクタ又はアンテナであり、通信部１１０により画像処理装置１００を他の機器と接続する。有線での通信の場合はコネクタであり、無線通信の場合はアンテナである。
【００４２】
２００はメモリカードやハードディスク等の記録媒体である。記録媒体２００は、半導体メモリや磁気ディスク等から構成される記録部２０２、画像処理装置１００とのインターフェース２０４、及び画像処理装置１００と接続を行うコネクタ２０６を備えている。
【００４３】
２１０はメモリカードやハードディスク等の記録媒体である。記録媒体２１０は、半導体メモリや磁気ディスク等から構成される記録部２１２、画像処理装置１００とのインターフェース２１４、及び画像処理装置１００と接続を行うコネクタ２１６を備えている。
【００４４】
＜操作部材の説明＞
図２は、画像処理装置１００の筐体に設けられた操作部材を説明するための図である。図２において、３００は画像処理装置の電源をＯＮ／ＯＦＦするための電源ボタンである。６０は撮影モード、再生モード、動画撮影モード、静止画撮影モード等の各機能モードを切り替えるためのモードダイアルスイッチである。３０１はレリーズスイッチＳＷ１（６２）及びＳＷ２（６４）を操作するためのレリーズボタンである。
【００４５】
２８は画像表示部であり、撮像素子１４で撮影された撮影画像を表示する。画像表示部２８には通常ＬＣＤが使用され、静止画像又は動画像を再生する際には、画面上に再生操作に係る表示画面が表示される。
【００４６】
３０２、３０３、及び３０４はそれぞれセットボタン、メニューボタン、十字ボタンであり、画像処理装置１００の設定変更や、再生モードにおける画像送り等の動画再生の際の様々な操作に使用される。
【００４７】
＜表示画面の説明＞
図３は、動画再生の際に画像表示部２８に表示される表示画面の例を示している。図３において、動画再生画面４００の画面上には、動画の再生、スロー再生、フレームレート切り替え等の操作を行うための動画パネル４０１が表示されている。
【００４８】
図４は、動画再生の際に表示される動画パネル４０１の詳細を示す図である。動画パネル４０１は、操作用のボタンと、カウンタ及びボリュームインジケータから構成されている。使用者は、十字ボタン３０４（図３）を操作して動画パネル４０１の各ボタンを選択することで実行する処理を選択し、セットボタン３０２（図３）を操作することで選択した処理を実行するようにすることができる。
【００４９】
図４において、４１０は再生ボタンであり、動画再生を開始するためのボタンである。なお、再生ボタン４１０は動画再生中には停止ボタンとしての機能を担う。４１１はスロー再生ボタンであり、動画のスロー再生を開始するためのボタンである。４１２は先頭フレームボタンであり、表示するフレームを動画の先頭フレームに移動するためのボタンである。４１３はフレーム戻しボタンであり、表示するフレームを１つ前のフレームに移動するためのボタンである。４１４はフレーム送りボタンであり、表示するフレームを次のフレームに移動するためのボタンである。４１５は最終フレームボタンであり、表示するフレームを動画の最終フレームに移動するためのボタンである。
【００５０】
４１６はフレームレート切り替えボタンであり、動画再生に使用するフレームレートを切り替える際に使用され、現在動画再生に使用しているフレームレートが、再生フレームレートであるか撮影フレームレートであるかを表示する機能も備えている。なお、図４（ａ）に示すフレームレート切り替えボタン４１６は、現在動画再生に使用しているフレームレートが再生フレームレートであることを示している。一方、図４（ｂ）に示すフレームレート切り替えボタン４１９は、現在動画再生に使用しているフレームレートが撮影フレームレートであることを示している。なお、フレームレート切り替えボタン４１６及び４１９は、本発明でいう、動画データを所定のフレームレートで再生するか又は撮影時のフレームレートで再生するかを選択可能とする選択手段、及び選択手段の選択結果を表示する表示手段に対応する。
【００５１】
４１７はカウンタであり、現在表示しているフレームの先頭フレームからの経過時間を表示する。４１８はボリュームインジケータであり、現在設定されている音量のレベルを表示する。
【００５２】
＜装置の動作＞
ここで、第１の実施形態の画像処理装置１００の動作について説明する。まず図５は、画像処理装置１００において用いる動画ファイルの構成を示す図である。本実施形態では、動画データとしてモーションＪＰＥＧ方式の画像データを用いている。そして、画像データと共に、その動画が１秒間あたり何フレームの画像で構成されているのかを示す情報として、フレームレート情報も記録されている。フレームレート情報は、動画データ毎に属性情報として記録されており、後述するインターバル動画の再生時にも利用されている。
【００５３】
図５に示すように、画像処理装置１００において用いる動画ファイルは、ＡＶＩファイル５００と、ＡＶＩファイル５００に関連付けられたサムネイルファイル（ＴＨＭファイル）５０１との２つのファイルから構成されている。
【００５４】
ＡＶＩファイル５００には、動画データや、動画データを再生する際の再生フレームレート情報（本発明でいう所定のフレームレートに相当する）や、動画データに関連する例えば音声データ等の情報等が記録されている。
【００５５】
ＴＨＭファイル５０１には、ＡＶＩファイル５００の動画データに対応するサムネイル画像データや、動画データの撮影時の撮影フレームレート情報（本発明でいう撮影時のフレームレートに相当する）や、動画データに関連するその他の情報が記録されている。即ち、撮影フレームレートの情報は、動画データとは別のファイルにおいて記録されるようになっている。
【００５６】
図６は、本実施形態に係る画像処理装置１００の動画再生時の動作を説明するためのフローチャートである。以下、図６を用いて、画像処理装置１００における動画再生時の動作について説明する。
【００５７】
動画再生を行なう際、まずステップＳ１００において、システム制御部５０は、動画パネル４０１を表示する。
【００５８】
次にステップＳ１０１において、システム制御部５０は、図３で説明した画像処理装置１００の筐体に設置された操作部材により動画パネル４０１に対して操作が行われたか否かを判定する。何も操作が行われていなければ、システム制御部５０は処理をステップＳ１０１に戻し、動画パネル４０１に対する操作を待つ。動画パネル４０１に対して操作が行われていれば、システム制御部５０は、ステップＳ１０２に進む。
【００５９】
ステップＳ１０２において、システム制御部５０は、動画パネル４０１において選択された操作が再生ボタン４１０であるか否かを判定する。再生ボタン４１０が選択されていればステップＳ１０３に進み、システム制御部５０は、動画再生開始処理を実行する。ステップＳ１０３における動画再生開始処理については、図７等を用いて後述する。ステップＳ１０３の処理を終えた場合は、処理をステップＳ１０１に戻す。
【００６０】
ステップＳ１０２で再生ボタン４１０が選択されていなければステップＳ１０４に進み、システム制御部５０は、動画パネル４０１において選択された操作がスロー再生ボタン４１１であるか否かを判定する。スロー再生ボタン４１１が選択されていればステップＳ１０５に進み、システム制御部５０は、動画スロー再生開始処理を実行する。ステップＳ１０５における動画スロー再生開始処理については、図８等を用いて後述する。ステップＳ１０５の処理を終えた場合は、処理をステップＳ１０１に戻す。
【００６１】
ステップＳ１０４でスロー再生ボタン４１１が選択されていなければステップＳ１０６に進み、システム制御部５０は、動画パネル４０１において選択された操作が再生停止ボタンであるか否か、即ち、動画再生後に再生ボタン４１０が操作されたか否か判定する。再生停止ボタンが選択されていればステップＳ１０７に進み、システム制御部５０は、動画再生を停止した後、処理をステップＳ１０１に戻す。
【００６２】
ステップＳ１０６で再生停止ボタンが選択されていなければステップＳ１０８に進み、システム制御部５０は、操作部材により動画再生終了が指示されたか否かを判定する。動画再生終了であれば、システム制御部５０は動画再生を終了する。ステップＳ１０８で動画再生終了が選択されていなければ、システム制御部５０は、処理をステップＳ１０１に戻して動画パネル４０１に対する操作を待つ。
【００６３】
ここで、図７、図９、及び図１０を用いて、ステップＳ１０３における動画再生開始処理について説明する。図７は、本実施形態の画像処理装置１００における動画再生開始処理の動作を説明するためのフローチャートである。図９及び図１０は、本実施形態の画像処理装置１００における動画再生時に表示される表示画面の例である。
【００６４】
動画再生開始処理が開始されると、まずステップＳ２００において、システム制御部５０は、再生する動画ファイルがインターバル動画か否かを判定する。再生する動画ファイルがインターバル動画の場合はステップＳ２０１に進み、そうでない場合はステップＳ２０３に進む。
【００６５】
ステップＳ２０１において、システム制御部５０は、動画再生に使用するフレームレートの設定を判定する。動画再生に使用するフレームレート設定に撮影フレームレートが指定されていれば（このときフレームレート切り替えボタンは図９の６００に示すように撮影フレームレートが指定されていることを示す表示となっている）、ステップＳ２０２に進む。そうでない場合は、ステップＳ２０３に進む。なお、ステップＳ２０１において判定するフレームレートの設定は、使用者がフレームレート切り替えボタン４１６又は４１９を操作することで任意に選択できる。この場合、使用者はフレームレート切り替えボタン４１６又は４１９を操作した上で、再生ボタン４１０を操作するようにする。また、再生後においては、再生中にフレームレート切り替えボタン４１６又は４１９を操作することで、フレームレートが切り替わるようにしてもよい。
【００６６】
ステップＳ２０２において、システム制御部５０は、動画ファイルに対応するＴＨＭファイル５０１に記録されている撮影フレームレート情報に従って、動画再生に使用するフレームレートを設定し、動画再生を開始して、動画再生開始処理を終了する。
【００６７】
一方、ステップＳ２００において再生する動画ファイルがインターバル動画ではないと判定した場合、及びステップＳ２０１において動画再生に使用するフレームレート設定に撮影フレームレートが指定されていないと判定した場合は、ステップ２０３に進む。なお、ステップＳ２０１において、撮影フレームレートが指定されていない場合は、フレームレート切り替えボタンが図１０の６０１に示すように再生フレームレートが指定されていることを示す表示となっている。
【００６８】
ステップＳ２０３においては、システム制御部５０は、ＡＶＩファイル５００に記録されている再生フレームレート情報に従って、動画再生に使用するフレームレートを設定し、動画再生を開始して、動画再生開始処理を終了する。
【００６９】
次に、図８、図１１、及び図１２を用いて動画スロー再生開始処理について説明する。図８は、本実施形態の画像処理装置１００における動画スロー再生開始処理の動作を説明するためのフローチャートである。図１１及び図１２は、本実施形態の画像処理装置１００における動画スロー再生時に表示される表示画面の例である。
【００７０】
動画スロー再生開始処理を開始されると、まずステップＳ３００において、システム制御部５０は、スロー再生する動画ファイルがインターバル動画か否かを判定する。スロー再生する動画ファイルがインターバル動画の場合はステップＳ３０１に進み、そうでない場合はステップＳ３０３に進む。
【００７１】
ステップＳ３０１において、システム制御部５０は、スロー再生に使用するフレームレートの設定が最低フレームレートであるか否かを判定する。ここで、スロー再生に使用するフレームレートは、図１１に示すスロー再生パネル７００を用いて設定することができる。操作部材に含まれる十字ボタン３０４を操作してスロー再生パネル７００のインジケータを＋方向（右方向）に進めるに従い、スロー再生に使用するフレームレートは高くなり、動画の再生速度は通常の動画再生速度に近づく。また、インジケータを−方向（左方向）に進めるに従い、スロー再生に使用するフレームレートは低くなり、動画の再生速度はより遅くなる。なお、スロー再生パネル７００は、本発明でいう、動画データのスロー再生時のフレームレートを変更可能な変更手段に対応する。
【００７２】
スロー再生に使用するフレームレートの設定が、図１２に示すスロー再生パネル７０２のように−の端（左端）に設定された場合、即ち最低フレームレートであった場合は、ステップＳ３０２に進む。
【００７３】
ステップＳ３０２において、システム制御部５０は、動画ファイルに対応するＴＨＭファイルに記録されている撮影フレームレート情報に従って、スロー再生に使用するフレームレートを設定し、スロー再生を開始して、スロー再生開始処理を終了する。即ち、本実施形態の画像処理装置１００では、動画をスロー再生する場合のフレームレートの下限値（スロー再生パネル７００の−の端を設定した場合のフレームレート）を、ＴＨＭファイルに記録されている撮影フレームレートと同一とするようにしている。なお、このときフレームレート切り替えボタンは図１２の７０３に示すように撮影フレームレートが指定されていることを示す表示となっている。
【００７４】
一方、スロー再生に用いるフレームレートの設定が、図１１に示すスロー再生パネル７００のように−の端に設定されていない場合や、再生する動画ファイルがインターバル動画ではない場合はステップＳ３０３に進む。ステップＳ３０３において、システム制御部５０は、スロー再生パネル７００の設定に従って、スロー再生に使用するフレームレートを設定し、スロー再生を開始して、スロー再生開始処理を終了する。
【００７５】
以上のように本実施形態では、インターバル動画を再生する場合に、フレームレート切り替えボタン４１６又は４１９やスロー再生パネル７００を用いることで、再生に使用するフレームレートを撮影フレームレートに設定するか否かを選択できるようした。これにより、インターバル動画を撮影時のフレームレートで再生する際の操作性を向上させることが可能となる。
【００７６】
（第２の実施の形態）
次に本発明の第２の実施の形態について説明する。本発明の第２の実施形態に係る画像処理装置では、再生フレームレートで動画を再生する場合には動画の音声再生を行わないようにし、撮影フレームレートで動画を再生する場合には動画の音声再生を行うようにした。なお、画像処理装置の構成は、第１の実施形態と同様であるため説明は省略する。
【００７７】
このように構成した第２の実施形態に画像処理装置は、例えば会議等の音声の記録が主目的であるような場合に用いて好適である。会議等音声の記録が主目的であるような場合は、通常の動画に対して単位時間当りの画像データ容量が少ないインターバル動画で撮影することが望ましいからである。
【００７８】
例えば会議をインターバル動画で記録した場合、記録したインターバル動画には、会議の進行が把握できる程度であれば充分な画像データが記録されている。そして、このインターバル動画を、本実施形態に係る画像処理装置を用いて、まず再生フレームレートで実時間より速い速度で再生しながら動画中の必要な部分（例えば、重要な発言があったと思われるシーン）を任意に検索する。この場合、再生フレームレートで再生しているため、音声の再生は行われず、不要な早送りされた音声が再生されることは無い。そして、必要な部分で撮影フレームレートでの再生に切り替えることで、実時間での音声の再生が開始される。
【００７９】
以上のような本発明の第２の実施形態では、インターバル動画をボイスレコーダのように利用し、便宜を図ることができる。
【００８０】
以上、図１〜図１２を用いて説明したように、本実施形態によれば、再生に使用するフレームレートに撮影時のフレームレートを選択可能とすることで、インターバル動画を撮影時のフレームレートで再生する際の操作性を向上させることができる。
【００８１】
なお、以上の説明では、動画データの形式をモーションＪＰＥＧ形式として説明してきたが、本発明は、動画データにフレームレート情報が含まれていれば、動画データの形式には限定されず、ＭＰＥＧ形式等の他の形式の動画データについても適用可能である。
【００８２】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００８３】
この場合、記憶媒体から読み出されたプログラムコード自体が上述した実施形態の機能を実現することになり、プログラムコード自体及びそのプログラムコードを記憶した記憶媒体は本発明を構成することになる。
【００８４】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００８５】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００８６】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００８７】
【図１】本発明の実施の形態に係る画像処理装置の構成を示すブロック図である。
【図２】本発明の実施の形態に係る画像処理装置に設けられた操作部材を示す図である。
【図３】本発明の実施の形態に係る画像処理装置において、動画再生時に表示される表示画面の例を示す図である。
【図４】本発明の実施の形態に係る画像処理装置において、動画再生時に表示される動画パネルの例を示す図である。
【図５】本発明の実施の形態に係る画像処理装置において用いる動画ファイルの構成を示す図である。
【図６】本発明の実施の形態に係る画像処理装置の動画再生時の動作を説明するためのフローチャートである。
【図７】本発明の実施の形態に係る画像処理装置の動画再生開始処理の動作を説明するためのフローチャートである。
【図８】本発明の実施の形態に係る画像処理装置の動画スロー再生開始処理の動作を説明するためのフローチャートである。
【図９】動画再生開始処理において表示される表示画面の例を示す図である。
【図１０】動画再生開始処理において表示される表示画面の例を示す図である。
【図１１】動画スロー再生開始処理において表示される表示画面の例を示す図である。
【図１２】動画スロー再生開始処理において表示される表示画面の例を示す図である。
【符号の説明】
【００８８】
１０  撮影レンズ
１２  シャッター
１４  撮像素子
１６  Ａ／Ｄ変換部
１８  タイミング発生部
２０  画像処理部
２２  メモリ制御部
２４  画像表示メモリ
２６  Ｄ／Ａ変換部
２８  画像表示部
３０  メモリ
３２  圧縮・伸長部
４０  露光制御部
４２  測距制御部
４４  ズーム制御部
４６  バリア制御部
４８  ストロボ
５０  システム制御部
５２  メモリ
５４  表示部
５６  不揮発性メモリ
６０  モードダイアル
６２  レリーズスイッチＳＷ１
６４  レリーズスイッチＳＷ２
６６  姿勢検知部
６８  音声取り込み部
７０  操作部
８０  電源制御部
８２、８４、９２、９６  コネクタ
８６  電源部
９０、９４  インターフェース
９８  記録媒体着脱検知部
１００  画像処理装置
１０２  保護部
１０４  光学ファインダ
１１０  通信部
１１２  コネクタ（アンテナ）
２００、２１０  記録媒体
２０２、２１２  記録部
２０４、２１４  インターフェース
２０６、２１６  コネクタ
３００  電源ボタン
３０１  レリーズボタン
３０２  セットボタン
３０３  メニューボタン
３０４  十字ボタン
４０１  動画パネル
４０１’  動画パネル
４１０  再生ボタン
４１１  スロー再生ボタン
４１２  先頭フレームボタン
４１３  フレーム戻しボタン
４１４  フレーム送りボタン
４１５  最終フレームボタン
４１６、４１９、６００、６０１、７０１、７０３  フレームレート切り替えボタン
４１７  カウンタ
４１８  ボリュームインジケータ
５００  ＡＶＩファイル
５０１  ＴＨＭファイル
７００、７０２  スロー再生パネル
【図１】
2008252373.tif 000003
【図２】
2008252373.tif 000004
【図３】
2008252373.tif 000005
【図４】
2008252373.tif 000006
【図５】
2008252373.tif 000007
【図６】
2008252373.tif 000008
【図７】
2008252373.tif 000009
【図８】
2008252373.tif 000010
【図９】
2008252373.tif 000011
【図１０】
2008252373.tif 000012
【図１１】
2008252373.tif 000013
【図１２】
2008252373.tif 000014